(57)【要約】  レンズ鏡筒（１００）は、固定枠（１０５）と、固定枠（１０５）に対して回動するカム枠（１０６）と、カム枠（１０６）の回動に連動することで固定枠（１０５）に対して直進移動するレンズ枠（２２）とを備えている。固定枠（１０５）には、固定枠（１０５）を貫通し光軸（Ｌ）に略平行に延在する一対の第一溝部（６１ａ、６１ｂ）が形成されている。レンズ枠（２２）は、円錐台形状を有する第一カムピン（４１）であって、一対の第一溝部（６１ａ、６１ｂ）のうち、一方の第一溝部（６１ａ）から突出して、カム枠（１０６）に係合する第一カムピン（４１）と、一対の第一溝部（６１ａ、６１ｂ）のそれぞれで案内される一対の直進キー（４４、４５）と、第一カムピン（４１）を、当該第一カムピン（４１）の突出方向に付勢する付勢部（４６）とを備えている。一対の第一溝部（６１ａ、６１ｂ）は、光軸（Ｌ）を挟むように、第一カムピン（４１）の付勢方向で対向している。
2018139352.tif 000002
【特許請求の範囲】
【請求項１】
固定枠と、
前記固定枠に対して回動するカム枠と、
前記カム枠の回動に連動することで、前記固定枠に対して直進移動するレンズ枠とを備え、
前記固定枠には、当該固定枠を貫通し、光軸に略平行に延在する一対の第一溝部が形成されており、
前記レンズ枠は、
円錐台形状を有する第一カムピンであって、前記一対の第一溝部のうち、一方の第一溝部から突出して、前記カム枠に係合する第一カムピンと、
前記一対の第一溝部のそれぞれで案内される一対の直進キーと、
前記第一カムピンを、当該第一カムピンの突出方向に付勢する付勢部とを備え、
前記一対の第一溝部は、前記光軸を挟むように、前記第一カムピンの付勢方向で対向している
レンズ鏡筒。
【請求項２】
前記固定枠には、当該固定枠を貫通し、光軸に略平行に延在する一対の第二溝部が形成されており、
前記レンズ枠は、円錐台形状を有する第二カムピンであって、前記一対の第二溝部からそれぞれ突出して、前記カム枠に係合する一対の第二カムピンを備える
請求項１に記載のレンズ鏡筒。
【請求項３】
前記一方の第一溝部と、前記一対の第二溝部のそれぞれとは、前記固定枠の周方向に均等に配置されている
請求項２に記載のレンズ鏡筒。
【請求項４】
前記直進キーは、前記第一溝部をなす内周面に対して、当該直進キーの平面視で点接触している
請求項１〜３のいずれか一項に記載のレンズ鏡筒。
【発明の詳細な説明】
【技術分野】
【０００１】
本開示は、沈胴式のレンズ鏡筒に関する。
【背景技術】
【０００２】
特許文献１は、固定枠に対して相対的に移動するレンズ枠には、固定枠によって案内される直進キーと、カム枠によって案内されるカムピン（フォロアピン）とがそれぞれ周方向に均等に３つ設けられたレンズ鏡筒を開示している。
【先行技術文献】
【特許文献】
【０００３】
【特許文献１】特開２０１６−１４５９６９公報
【発明の概要】
【発明が解決しようとする課題】
【０００４】
本開示は、レンズ枠が過拘束されてしまうことを抑制しつつ、レンズ枠の位置精度を高めることのできるレンズ鏡筒を提供する。
【課題を解決するための手段】
【０００５】
本開示におけるレンズ鏡筒は、固定枠と、固定枠に対して回動するカム枠と、カム枠の回動に連動することで、固定枠に対して直進移動するレンズ枠とを備え、固定枠には、当該固定枠を貫通し、光軸に略平行に延在する一対の第一溝部が形成されており、レンズ枠は、一対の第一溝部のうち、一方の第一溝部から突出して、カム枠に係合する第一カムピンと、一対の第一溝部のそれぞれで案内される一対の直進キーと、第一カムピンを、第一カムピンの突出方向に付勢する付勢部とを備え、一対の第一溝部は、光軸を挟むように、第一カムピンの付勢方向で対向している。
【発明の効果】
【０００６】
本開示におけるレンズ鏡筒は、レンズ枠が過拘束されてしまうことを抑制して、レンズ枠の位置精度を高めることが可能である。
【図面の簡単な説明】
【０００７】
【図１】図１は、実施の形態に係るレンズ鏡筒の構成概要を示す斜視図である。
【図２】図２は、実施の形態に係るレンズ鏡筒の分解斜視図である。
【図３】図３は、実施の形態に係る固定枠の概略構成を示す斜視図である。
【図４】図４は、実施の形態に係る固定枠の概略構成を示す正面図である。
【図５】図５は、実施の形態に係る二群ユニットの概略構成を示す斜視図である。
【図６】図６は、実施の形態に係る二群ユニットの概略構成を示す正面図である。
【図７】図７は、実施に形態に係る二群ユニットが固定枠に組み付けられた状態を示す正面図である。
【図８】図８は、実施の形態に係る固定枠に組み付けられた第一支持部を示す側面図である。
【図９】図９は、実施の形態に係る第一支持部の内部構造を示す模式図である。
【図１０】図１０は、実施の形態に係る付勢部が圧縮された状態を示す模式図である。
【図１１】図１１は、実施の形態に係る固定枠に組み付けられた第二支持部を示す側面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【０００９】
なお、発明者は、当業者が本開示を十分に理解するために添付図面及び以下の説明を提供するのであって、これらによって請求の範囲に記載の主題を限定することを意図するものではない。
【００１０】
［１．レンズ鏡筒の構成概要］
以下、図面を参照しつつ、実施の形態に係るレンズ鏡筒の構成を説明する。図１は、実施の形態に係るレンズ鏡筒１００の構成概要を示す斜視図である。図２は、実施の形態に係るレンズ鏡筒１００の分解斜視図である。
【００１１】
図１に示すように、レンズ鏡筒１００は、カメラ本体１に対して着脱自在に取り付けられたズームレンズ鏡筒である。図２に示すように、レンズ鏡筒１００は、一群ユニット１０１、二群ユニット１０２、三−四群ユニット１０３、五群ユニット１０４、固定枠１０５、カム枠１０６及び外装ユニット１０７を備えている。
【００１２】
レンズ鏡筒１００は、各部品を次の順に組み立てることで完成される。まず、カム枠１０６に対して、固定枠１０５、五群ユニット１０４、三−四群ユニット１０３、二群ユニット１０２が順に組み付けられる。その後、各部品が組み付けられたカム枠１０６は、一群ユニット１０１に組み付けられ、さらに外装ユニット１０７に組み込まれている。この手順で各部品を組み付けることで、レンズ鏡筒１００は完成される。
【００１３】
そして、レンズ鏡筒１００は、基板ユニット１０８とともに後枠ユニット１０９に組み付けられた状態で、レンズマウント１１０及び遮光枠１１１を介して、カメラ本体１に取り付けられる。
【００１４】
基板ユニット１０８は、レンズ鏡筒１００を駆動するためユニットであり、電気部品や電気接点部等が実装されたプリント基板を備えている。後枠ユニット１０９は、外装ユニット１０７におけるカメラ本体１側の端部外周を覆う部材である。レンズマウント１１０は、レンズ鏡筒１００及び後枠ユニット１０９をカメラ本体１に接続固定するための接続用構成部材である。遮光枠１１１は、レンズマウント１１０とカメラ本体１との間に配置されて、不要光を遮蔽する部材である。
【００１５】
レンズ鏡筒１００は、外装ユニット１０７に設けられたズームリングが回転されると、ズームリングの回転に従ってカム枠１０６が回転するように構成されている。レンズ鏡筒１００は、カム枠１０６が回転すると、一群ユニット１０１、二群ユニット１０２、三−四群ユニット１０３及び五群ユニット１０４が、光軸方向に移動するように構成されている。各ユニットは、カム枠１０６に形成されたカム溝に対して係合するカムピンを有している。また、各ユニットは、固定枠１０５に形成される溝部（第一溝部６１ａ、６１ｂ及び第二溝部６２ａ、６２ｂ）に対して係合する直進キーを有している。これによって、各ユニットは、固定枠１０５及びカム枠１０６に対して、相対的に光軸方向に移動できるように構成されている。
【００１６】
［２．移動機構］
次に、固定枠１０５と二群ユニット１０２とを例示して、各ユニットと固定枠１０５及び樹脂からなるカム枠１０６との移動機構について詳細に説明する。
【００１７】
［２−１．固定枠］
まず固定枠１０５について説明する。
【００１８】
図３は、実施の形態に係る固定枠１０５の概略構成を示す斜視図である。図４は、実施の形態に係る固定枠１０５の概略構成を示す正面図である。図３及び図４に示すように、固定枠１０５は、円筒状の筒部５１と、筒部５１の被写体側端部に一体的に形成された鍔部５２とを備えている。
【００１９】
筒部５１には、筒部５１を貫通して、レンズ鏡筒１００の光軸Ｌに略平行に延在する一対の第一溝部６１ａ、６１ｂが形成されている。一対の第一溝部６１ａ、６１ｂは、二群ユニット１０２の直進移動を案内するガイド部である。この一対の第一溝部６１ａ、６１ｂは、光軸Ｌを挟んで対向して配置されている。具体的には第一溝部６１ａ、６１ｂは、筒部５１を貫通して、光軸Ｌに略平行に延在するスリット部６１１と、スリット部６１１と略平行に延在する非貫通な一対の縁部６１２とを備えている。二群ユニット１０２の第一カムピン４１は、一対の第一溝部６１ａ、６１ｂのうち、一方の第一溝部６１ａを貫通して、径方向外方に向けて突出している（図７参照）。
【００２０】
また、筒部５１には、筒部５１を貫通して、レンズ鏡筒１００の光軸Ｌに略平行に延在する一対の第二溝部６２ａ、６２ｂが形成されている。一対の第二溝部６２ａ、６２ｂと、一方の第一溝部６１ａとは、筒部５１の周方向に均等に配置されている。二群ユニット１０２の第二カムピン４２、４３は、一対の第二溝部６２ａ、６２ｂを貫通して径方向外方に向けて突出している（図７参照）。第二カムピン４２は、固定枠１０５の第二溝部６２ａから径方向外方に突出して、カム枠１０６のカム溝に係合する。第二カムピン４３は、固定枠１０５の第二溝部６２ｂから径方向外方に突出して、カム枠１０６のカム溝に係合する。
【００２１】
鍔部５２は、筒部５１の被写体側端部から全周にわたって径方向外方に延在している。鍔部５２には、一対の第一溝部６１ａ、６１ｂ及び一対の第二溝部６２ａ、６２ｂのそれぞれに対応する位置に切欠き５３〜５６が形成されている。具体的には、鍔部５２における第一溝部６１ａに対応する位置には、二群ユニット１０２の第一カムピン４１及び直進キー４４に対応した形状の切欠き５３が形成されている。切欠き５３と第一溝部６１ａとは連続している。また、鍔部５２における第一溝部６１ｂに対応する位置には、二群ユニット１０２の直進キー４５に対応した形状の切欠き５４が形成されている。切欠き５４と第一溝部６１ｂとは連続している。鍔部５２における第二溝部６２ａに対応する位置には、二群ユニット１０２の第二カムピン４２に対応した形状の切欠き５５が形成されている。切欠き５５と第二溝部６２ａとは連続している。また、鍔部５２における第二溝部６２ｂに対応する位置には、二群ユニット１０２の第二カムピン４３に対応した形状の切欠き５６が形成されている。切欠き５６と第二溝部６２ｂとは連続している。ここで「対応した形状」とは、その対象が通過可能な形状のことである。これにより、固定枠１０５に対して、二群ユニット１０２を組み付ける際に、二群ユニット１０２の各突起（第一カムピン４１、第二カムピン４２、４３及び直進キー４４、４５）が各切欠き５３〜５６を通過することになる。
【００２２】
［２−２．二群ユニット］
次に、二群ユニット１０２について説明する。
【００２３】
図５は、実施の形態に係る二群ユニット１０２の概略構成を示す斜視図である。図６は、実施の形態に係る二群ユニット１０２の概略構成を示す正面図である。図７は、実施に形態に係る二群ユニット１０２が固定枠１０５に組み付けられた状態を示す正面図である。なお、図７においては、固定枠１０５の筒部５１を断面図で示している。
【００２４】
図５〜図７に示すように、二群ユニット１０２は、レンズ２１と、当該レンズ２１を保持するレンズ枠２２とを備えている。
【００２５】
レンズ枠２２は、カム枠１０６の回動に連動することで、固定枠１０５に対して直進移動する枠体である。レンズ枠２２は、レンズ２１を保持する円形状の保持部２２１と、保持部２２１の全周にわたって連続する円筒状の壁部２２２とを備えている。
【００２６】
壁部２２２には、周方向に所定の間隔を空けた四つの支持部（第一支持部３１、第二支持部３２、第三支持部３３、第四支持部３４）が、径方向外方に突出するように設けられている。第一支持部３１、第二支持部３２、第三支持部３３及び第四支持部３４はそれぞれ、一対の第一溝部６１ａ、６１ｂ及び一対の第二溝部６２ａ、６２ｂに対応するように、壁部２２２に配置されている。具体的には、第一支持部３１は一方の第一溝部６１ａに対応しており、第二支持部３２は、他方の第一溝部６１ｂに対応しており、第三支持部３３は一方の第二溝部６２ａに対応しており、第四支持部３４は他方の第二溝部６２ｂに対応している。これにより、第一支持部３１と、第三支持部３３と、第四支持部３４とは、壁部２２２の周方向に均等に配置されている。また、第一支持部３１と第二支持部３２とは、光軸Ｌを挟んで対向するように配置されている。これら各支持部は、第一カムピン４１、一対の第二カムピン４２、４３、一対の直進キー４４、４５及び付勢部４６のうち、振り分けられたものを支持している。
【００２７】
図８は、実施の形態に係る固定枠１０５に組み付けられた第一支持部３１を示す側面図である。この図８においては、第一支持部３１の直進キー４４を平面視した状態を図示している。図９は、実施の形態に係る第一支持部３１の内部構造を示す模式図である。
【００２８】
図６〜図９に示すように、第一支持部３１は、第一カムピン４１と、直進キー４４と、付勢部４６とを支持している。第一カムピン４１は、一方の第一溝部６１ａを貫通することで、当該第一溝部６１ａから径方向外方に突出して、カム枠１０６のカム溝に係合するカムピンである。第一カムピン４１は、頭部４１１と、軸部４１２と、規制部４１３とを一体的に備えている。頭部４１１は、略円錐台形状に形成されており、第一支持部３１から径方向外方に向けて突出している。軸部４１２は、頭部４１１と規制部４１３とを連結する軸体である。規制部４１３は、軸部４１２よりも大径な部位である。規制部４１３は、第一支持部３１から光軸Ｌ側に向けて突出し、第一支持部３１に引っかかっている。これにより、付勢部４６からの付勢力が作用したとしても第一カムピン４１が第一支持部３１から抜けることを防止している。
【００２９】
直進キー４４は、第一溝部６１ａによって案内される板状部である。直進キー４４は、その中央部から第一カムピン４１が突出している。直進キー４４は、第一溝部６１ａにおける一対の縁部６１２の間に配置されている。直進キー４４は、矩形状に形成されている。直進キー４４における一対の縁部６１２に対向する両端部には、凸曲面を有する突起４４１が形成されている。この一対の突起４４１は、それぞれ一対の縁部６１２をなす内周面に当接しており、これにより直進キー４４における光軸Ｌを中心とした回転が規制されている。また、この突起４４１は、第一溝部６１ａをなす内周面に対して、当該直進キー４４の平面視で点接触している。これにより、直進キー４４が第一溝部６１ａに沿って直進移動する際の摩擦力が低減されている。なお、第一溝部６１ａ（一対の縁部６１２）をなす内周面に対して直進キー４４が当接している場合には、第一支持部３１は、第一溝部６１ａ（スリット部６１１）をなす内周面から離れている。つまり、第一支持部３１は、直進移動時には第一溝部６１ａによって案内されないことになる。
【００３０】
付勢部４６は、図９に示すように第一カムピン４１を当該第一カムピン４１の突出方向に付勢する弾性部材である。具体的には、付勢部４６はコイルばねであり、第一カムピン４１の軸部４１２が挿通された状態で頭部４１１と規制部４１３との間に配置されている。第一カムピン４１に対して押圧力が作用していない場合には、図９に示すように付勢部４６は伸長している。この状態では、第一カムピン４１の規制部４１３が第一支持部３１に引っかかって、頭部４１１が第一支持部３１から最も突出している。この状態は、カム枠１０６に対して二群ユニット１０２が組み付けられる前の状態である。
【００３１】
一方、二群ユニット１０２がカム枠１０６に組み付けられて、第一カムピン４１がカム枠１０６のカム溝に係合すると、第一カムピン４１には押圧力が作用する。これにより、第一カムピン４１の頭部４１１が第一支持部３１内に後退し、付勢部４６が圧縮される。図１０は、実施の形態に係る付勢部４６が圧縮された状態を示す模式図である。具体的には、図１０は図９に対応する図である。図１０に示すように、付勢部４６は圧縮されると、その復元力が、第一カムピン４１の突出方向に付勢する付勢力（図１０における矢印Ｙ１参照）となって第一カムピン４１に作用する。これにより、レンズ枠２２には、第一カムピン４１から光軸Ｌに向けた付勢力（図７における矢印Ｙ２参照）が作用する。
【００３２】
図１１は、実施の形態に係る固定枠１０５に組み付けられた第二支持部３２を示す側面図である。この図１１においては、第二支持部３２の直進キー４５を平面視した状態を図示している。
【００３３】
第二支持部３２は、図６、図７及び図１１に示すように、光軸Ｌを挟んで第一支持部３１に対向する位置で、直進キー４５を支持している。第一支持部３１では、上述したように第一カムピン４１からレンズ枠２２に矢印Ｙ２方向（付勢方向）の付勢力が作用している。つまり、第一溝部６１ａ、第一支持部３１及び直進キー４４と、第一溝部６１ｂ、第二支持部３２及び直進キー４５とは、光軸Ｌを挟むように付勢方向で対向している。
【００３４】
直進キー４５は、第一溝部６１ｂによって案内される板状部である。直進キー４５は、第一溝部６１ｂにおける一対の縁部６１２の間に配置されている。直進キー４５は、矩形状に形成されている。直進キー４５における、一対の縁部６１２に対向する両端部は、周方向外方に向けて凸となる湾曲面となっている。この直進キー４５の端部４５１、４５２は、それぞれ一対の縁部６１２をなす内周面に当接しており、これにより直進キー４５における光軸Ｌを中心とした回転が規制されている。直進キー４５が第一溝部６１ｂをなす内周面に当接し、上述した直進キー４４が第一溝部６１ａをなす内周面に当接しているので、レンズ枠２２の回転を確実に規制することができる。
【００３５】
また、直進キー４５の端部４５１、４５２は、第一溝部６１ｂをなす内周面に対して、直進キー４５の平面視で点接触している。これにより、直進キー４５が第一溝部６１ｂに沿って直進移動する際の摩擦力が低減されている。
【００３６】
第三支持部３３は、図６及び図７に示すように、第二カムピン４２を支持している。第二カムピン４２は、固定枠１０５の第二溝部６２ａを貫通することで、当該第二溝部６２ａから径方向外方に突出して、カム枠１０６のカム溝に係合するカムピンである。具体的には、第二カムピン４２は、円錐台形状に形成されている。第二カムピン４２は、第三支持部３３から径方向外方に向けて突出している。この第二カムピン４２は、第三支持部３３に固定されており、突出量が変動しない。
【００３７】
また、第三支持部３３は、第二溝部６２ａをなす内周面から離れている。つまり、第三支持部３３は、レンズ枠２２の直進移動時には第二溝部６２ａによって案内されないことになる。
【００３８】
第四支持部３４は、第二カムピン４３を支持している。第二カムピン４３は、固定枠１０５の第二溝部６２ｂから径方向外方に突出して、カム枠１０６のカム溝に係合するカムピンである。具体的には、第二カムピン４３は、円錐台形状に形成されている。第二カムピン４３は、第四支持部３４から径方向外方に向けて突出している。この第二カムピン４３は、第四支持部３４に固定されており、突出量が変動しない。
【００３９】
また、第四支持部３４は、第二溝部６２ｂをなす内周面から離れている。つまり、第四支持部３４は、レンズ枠２２の直進移動時には第二溝部６２ｂによって案内されないことになる。
【００４０】
［３．効果等］
以上のように、本実施の形態によれば、レンズ鏡筒１００は、固定枠１０５と、固定枠１０５に対して回動するカム枠１０６と、カム枠１０６の回動に連動することで、固定枠１０５に対して直進移動するレンズ枠２２とを備えている。固定枠１０５には、当該固定枠１０５を貫通し、光軸Ｌに略平行に延在する一対の第一溝部６１ａ、６１ｂが形成されている。レンズ枠２２は、略円錐台形状を有する第一カムピン４１であって、一対の第一溝部６１ａ、６１ｂのうち、一方の第一溝部６１ａから突出して、カム枠１０６に係合する第一カムピン４１と、一対の第一溝部６１ａ、６１ｂのそれぞれで案内される一対の直進キー４４、４５と、第一カムピン４１を、当該第一カムピン４１の突出方向に付勢する付勢部４６とを備えている。一対の第一溝部６１ａ、６１ｂは、光軸Ｌを挟むように、第一カムピン４１の付勢方向で対向している。
【００４１】
この構成によれば、一対の第一溝部６１ａ、６１ｂが、光軸Ｌを挟むように第一カムピン４１の付勢方向で対向しているので、これら一対の第一溝部６１ａ、６１ｂのそれぞれで案内される一対の直進キー４４、４５も同様の配置関係となる。また、レンズ枠２２には、一方の第一溝部６１ａから突出してカム枠１０６に係合する第一カムピン４１が設けられており、この第一カムピン４１を介して付勢部４６がレンズ枠２２全体を付勢する。このとき、一対の直進キー４４、４５が第一カムピン４１の付勢方向で対向しているので、第一カムピン４１からの付勢によって一対の直進キー４４、４５がカム枠１０６内で突っ張ることになる。これにより、一対の直進キー４４、４５でレンズ枠２２を拘束することができるので、拘束箇所を従来よりも少なくすることができる。したがって、レンズ枠２２は、光軸Ｌに直交する方向であり、かつ一対の直進キー４４、４５が互いに対向する方向に対して、確実に付勢されつつ、一対の直進キー４４、４５により、光軸Ｌを中心とする回転方向への移動を規制することができる。
【００４２】
また、固定枠１０５には、当該固定枠１０５を貫通し、光軸Ｌに略平行に延在する一対の第二溝部６２ａ、６２ｂが形成されている。レンズ枠２２は、円錐台形状を有する第二カムピンであって、一対の第二溝部６２ａ、６２ｂからそれぞれ突出して、カム枠１０６のカム溝に係合する一対の第二カムピン４２、４３を備える。
【００４３】
この構成によれば、カム枠１０６のカム溝に係合する一対の第二カムピン４２、４３がレンズ枠２２に設けられており、前述のように、レンズ枠２２は、光軸Ｌに直交する方向であり、かつ一対の直進キー４４、４５が互いに対向する方向に対し付勢されるので、一対の第二カムピン４２、４３が確実にカム枠１０６に対し突っ張ることになる。そして、第一カムピン４１、一対の第二カムピン４２、４３は円錐台形状を有しているため、光軸Ｌ方向の位置、及び光軸に直行する平面上の位置のそれぞれに対して、確実にレンズ枠２２の位置を決めることが可能となる。通常、樹脂でカム枠１０６を構成する場合、第一カムピン４１、一対の第二カムピン４２、４３の形状は円錐台となる。円錐台形状になると、光軸Ｌ方向の高さだけでなく、光軸Ｌに直交する方向の位置も決まることになるが、固定枠１０５で光軸Ｌ方向、及び光軸Ｌに直交する平面上の位置を決めしまうと、過拘束となる。この過拘束を避けるために、ガタを取ることが考えられるが、位置精度が悪化しやすい。これに対して、前述のように固定枠１０５によるレンズ枠２２の位置決めではなく、固定枠１０５がレンズ枠２２の回転規制を行い、第一カムピン４１による付勢を行うことで、過拘束を避けつつ、位置決め精度を向上させることができる。
【００４４】
また、一方の第一溝部６１ａ、６１ｂと、一対の第二溝部６２ａ、６２ｂのそれぞれとは、固定枠１０５の周方向に均等に配置されている。
【００４５】
この構成によれば、一方の第一溝部６１ａ、６１ｂと、一対の第二溝部６２ａ、６２ｂのそれぞれとが、固定枠１０５の周方向に均等に配置されているので、第一カムピン４１及び一対の第二カムピン４２、４３も固定枠１０５の周方向に均等に配置されている。このように、第一カムピン４１及び一対の第二カムピン４２、４３が周方向に均等に配置されていれば、カム枠１０６に対してバランス良く係合することができる。したがって、カム枠１０６の回転をより安定してレンズ枠２２の直進移動に変換することができる。
【００４６】
また、直進キー４４、４５は、第一溝部６１ａ、６１ｂをなす内周面に対して、当該直進キー４４、４５の平面視で点接触している。
【００４７】
この構成によれば、第一溝部６１ａ、６１ｂをなす内周面に対して、直進キー４４、４５が平面視で点接触しているので、直進キー４４、４５が第一溝部６１ａ、６１ｂに沿って直進移動する際の摩擦力を低減することができる。したがって、レンズ枠２２の直進移動をよりスムーズにすることができる。なお、ここで言う「平面視で点接触」とは、実質的には点接触及び線接触を含んでいる。
【００４８】
（他の実施の形態）
以上のように、本出願において開示する技術の例示として、上記実施の形態を説明した。しかしながら、本開示における技術は、これに限定されず、適宜、変更、置き換え、付加、省略などを行った実施の形態にも適用可能である。
【００４９】
例えば、上記実施の形態では、固定枠１０５と二群ユニット１０２との移動機構について説明したが、本開示における特徴部分は、固定枠１０５とその他のユニット（三−四群ユニット１０３、五群ユニット１０４等）との移動機構に対しても適用可能である。
【００５０】
また、上記実施の形態では、レンズ枠２２に第一カムピン４１と、一対の第二カムピン４２、４３とが設けられている場合を例示して説明したが、レンズ枠に第一カムピンだけが設けられていてもよい。この場合、第二溝部６２ａ、６２ｂも不要となる。
【００５１】
また、上記実施の形態では、一方の第一溝部６１ａと、一対の第二溝部６２ａ、６２ｂのそれぞれとが、固定枠１０５の周方向に均等に配置されている場合を例示して説明したが、これらは均等に配置されていなくてもよい。
【００５２】
また、上記実施の形態では、直進キー４４、４５が、第一溝部６１ａ、６１ｂをなす内周面に、平面視で点接触している場合を例示して説明した。しかし、直進キー４４、４５は第一溝部６１ａ、６１ｂをなす内周面に対して面接触していてもよい。
【００５３】
また、上記実施の形態では、第三支持部３３及び第四支持部３４が第二カムピン４２、４３のみを支持する場合を例示して説明したが、第一支持部３１及び第二支持部３２と同様に、第三支持部３３及び第四支持部３４が、第二溝部６２ａ、６２ｂによって案内される直進キーを支持していてもよい。
【００５４】
（その他）
以上のように、本開示における技術の例示として、実施の形態を説明した。そのために、添付図面及び詳細な説明を提供した。
【００５５】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、請求の範囲またはその均等の範囲において種々の変更、置き換え、付加、省略などを行うことができる。さらに、上記実施の形態等をそれぞれ組み合わせてもよい。
【産業上の利用可能性】
【００５７】
本開示は、ズームレンズ鏡筒に適用可能である。
【符号の説明】
【００５８】
１  カメラ本体
２１  レンズ
２２  レンズ枠
３１  第一支持部
３２  第二支持部
３３  第三支持部
３４  第四支持部
４１  第一カムピン
４２、４３  第二カムピン
４４、４５  直進キー
４６  付勢部
５１  筒部
５２  鍔部
５３、５４、５５、５６  切欠き
６１ａ、６１ｂ  第一溝部
６２ａ、６２ｂ  第二溝部
１００  レンズ鏡筒
１０１  一群ユニット
１０２  二群ユニット
１０３  三−四群ユニット
１０４  五群ユニット
１０５  固定枠
１０６  カム枠
１０７  外装ユニット
１０８  基板ユニット
１０９  後枠ユニット
１１０  レンズマウント
１１１  遮光枠
２２１  保持部
２２２  壁部
４１１  頭部
４１２  軸部
４１３  規制部
４４１  突起
４５１、４５２  端部
６１１  スリット部
６１２  縁部
Ｌ  光軸
【図１】
2018139352.tif 000003
【図２】
2018139352.tif 000004
【図３】
2018139352.tif 000005
【図４】
2018139352.tif 000006
【図５】
2018139352.tif 000007
【図６】
2018139352.tif 000008
【図７】
2018139352.tif 000009
【図８】
2018139352.tif 000010
【図９】
2018139352.tif 000011
【図１０】
2018139352.tif 000012
【図１１】
2018139352.tif 000013
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
固定枠と、
前記固定枠に対して回動するカム枠と、
前記カム枠の回動に連動することで、前記固定枠に対して直進移動するレンズ枠とを備え、
前記固定枠には、当該固定枠を貫通し、光軸に略平行に延在する一対の第一溝部が形成されており、
前記レンズ枠は、
円錐台形状を有する第一カムピンであって、前記一対の第一溝部のうち、一方の第一溝部から突出して、前記カム枠に係合する第一カムピンと、
前記一対の第一溝部のそれぞれで案内される一対の直進キーと、
前記第一カムピンを、当該第一カムピンの突出方向に付勢する付勢部とを備え、
前記第一カムピンは、前記一対の直進キーのうち、一方の直進キーのみに設けられており、
前記一対の第一溝部は、前記光軸を挟むように、前記第一カムピンの付勢方向で対向している
レンズ鏡筒。
【請求項２】
前記固定枠には、当該固定枠を貫通し、光軸に略平行に延在する一対の第二溝部が形成されており、
前記レンズ枠は、円錐台形状を有する第二カムピンであって、前記一対の第二溝部からそれぞれ突出して、前記カム枠に係合する一対の第二カムピンを備える
請求項１に記載のレンズ鏡筒。
【請求項３】
前記一方の第一溝部と、前記一対の第二溝部のそれぞれとは、前記固定枠の周方向に均等に配置されている
請求項２に記載のレンズ鏡筒。
【請求項４】
前記レンズ枠は、前記一対の第二カムピンのそれぞれを支持する一対の支持部を有しており、
前記支持部は、前記第二カムピンが前記第二溝部から突出するように前記第二カムピンを支持しており、
前記支持部は、前記第二溝部をなす内周面から離れている
請求項２または３に記載のレンズ鏡筒。
【請求項５】
前記直進キーは、前記第一溝部をなす内周面に対して、当該直進キーの平面視で点接触している
請求項１〜４のいずれか一項に記載のレンズ鏡筒。
【国際調査報告】
2018139352.tif 000014
2018139352.tif 000015
2018139352.tif 000016
2018139352.tif 000017